(57)【要約】【課題】  看護婦の負担を軽減し、医療ミスの危険性を少なくすることができる自動点滴制御装置を提供する。【解決手段】  この自動点滴制御装置は、点滴液を入れる為の複数の入口と、前記入口の１つから入った点滴液を出す為の１つの出口と、前記複数の入口と前記１つの出口との接続関係を切り換える切換手段と、前記切換手段を所定の点滴プログラムに従って自動で制御する制御手段と、前記点滴プログラムを前記制御手段へ入力するインターフェースを備えている。【選択図】  図１
2006230445.tif 000002
【特許請求の範囲】
【請求項１】
点滴液を入れる為の複数の入口と、前記入口の１つから入った点滴液を出す為の１つの出口と、前記複数の入口と前記１つの出口との接続関係を切り換える切換手段と、前記切換手段を所定の点滴プログラムに従って自動で制御する制御手段と、前記点滴プログラムを前記制御手段へ入力するインターフェースを備えたことを特徴とする自動点滴制御装置。
【請求項２】
前記制御手段は、更に、前記１つの出口から出る点滴液の流量を自動で制御することを特徴とする請求項１に記載されている
【発明の詳細な説明】
【技術分野】
【０００１】
本発明は、医療機器として利用される自動点滴制御装置に関する。
【背景技術】
【０００２】
医療において、人体に直接、投薬や栄養供給を行う方法として、点滴は非常に有効であり、様々な状況において頻繁に用いられる。通常、栄養液、血液、電解質液などの点滴液が、静脈を経由して被治療者に供給されるようになっている。
【０００３】
図４は、従来の点滴装置の一例を示す概略図である。ここで、点滴装置は、点滴液２１を保持するための、目盛りのついた点滴液筒或いは点滴液バッグ２２と、この点滴液筒２２に接続された中間チューブ２３と、この中間チューブ２３に接続され、この点滴液筒２２内のこの点滴液２１を滴下する点滴筒２４と、この点滴筒２４に接続された導管チューブ２５と、この導管チューブ２５を装着し、この点滴液筒２２内の点滴液２１の供給速度を調節するローラクランプ２６と、ゴム管２７を通して導管チューブ２５に接続され、静脈針２８を有する濾過管或いはタコ管２９とから構成され、点滴液筒２２は図示しない吊り下げ台に設けられている。
【０００４】
担当の看護婦は、点滴の時間になると、点滴液を交換し、静脈針２８を患者に穿刺し、ローラクランプ２６を操作して供給速度を調節する。また、点滴が終了する時間になると、再度患者のベットへ行き、静脈針２８を患者から抜き取る。
【発明の開示】
【発明が解決しようとする課題】
【０００５】
しかしながら、同じ入院患者が一日に数回の点滴を受ける場合、担当の看護婦は、常にその事に気を配っている必要がある。特に、そのような入院患者を複数受け持った場合には、時計を確認しながら各患者のベットを巡回しなければならず、かなりの負担となる。
【０００６】
また、同じ入院患者に対して、一日に数回の点滴を行う場合、異なる点滴液を用いるのが普通であり、それには点滴液の取り違いによる医療ミスの危険性が伴い、看護婦へのストレスの要因の１つとなっている。
【０００７】
本発明は、上記した従来の問題点を解決するためになされたものであり、複数の点滴液を切り換えながら、所定の時間に自動で点滴を行うことが可能となり、看護婦の負担を軽減し、医療ミスの危険性を少なくすることができる自動点滴制御装置を提供することを目的とする。
【課題を解決するための手段】
【０００８】
前記目的を達成するために、本発明の自動点滴制御装置は、点滴液を入れる為の複数の入口と、前記入口の１つから入った点滴液を出す為の１つの出口と、前記複数の入口と前記１つの出口との接続関係を切り換える切換手段と、前記切換手段を所定の点滴プログラムに従って自動で制御する制御手段と、前記点滴プログラムを前記制御手段へ入力するインターフェースを備えている。
【０００９】
これにより、複数の点滴液を切り換えながら、所定の時間に自動で点滴液を注入することが可能となる。
【発明の効果】
【００１０】
上記のように構成された本発明による自動点滴制御装置により、看護婦の負担を軽減し、医療ミスの危険性を少なくすることができる。
【発明を実施するための最良の形態】
【００１１】
以下、本発明の実施形態による自動点滴制御装置を添付図面を参照して詳細に説明する。
【００１２】
図１は、本発明の実施形態による自動点滴制御装置１０を用いた点滴システムを示す概略図である。ここで、この点滴システムは、点滴液１ａ〜１ｃを保持するための、３つの点滴液筒２ａ〜２ｃと、これら点滴液筒２ａ〜２ｃに接続された中間チューブ３ａ〜３ｃと、これら中間チューブ３ａ〜３ｃに接続されると共に点滴液筒２ａ〜２ｃ内の点滴液を滴下する点滴筒４ａ〜４ｃと、この点滴筒４ａ〜４ｃに接続された導管チューブ５ａ〜５ｃと、これら導管チューブ５ａ〜５ｃが接続された３つの入口１１ａ〜１１ｃを備えた自動点滴制御装置１０と、自動点滴制御装置１０の出口１２に接続された導管チューブ６と、静脈針７を有する濾過管或いはタコ管８とからなっている。点滴液筒２ａ〜２ｃは、図示しない吊り下げ台に夫々吊り下げられている。自動点滴制御装置１０以外は、今まで使っていたものをそのまま利用可能である。
【００１３】
図２は、本発明の実施形態による自動点滴制御装置１０の構成図である。ここで、自動点滴制御装置１０は、入口１１ａ〜１１ｃの選択された１つを出口１２へ連通させる機能を有する切換弁１３と、この切換弁１３に接続され出口１２から流出する点滴液の流量を調整する流量調整弁（絞弁）１４と、これら切換弁１３と流量調整弁１４へ制御信号を出力し、流量調整弁１４から流出する点滴液の供給源（点滴液筒２ａ〜２ｃの１つ）を選択すると共にその流量を制御する制御回路１５と、この制御回路１５に接続され、入力インターフェースとして機能する制御パネル１６とからなっている。なお、切換弁１３は、全く、点滴液を流さない閉じた状態も取り得る。
【００１４】
制御回路１５は、マイクロコンピュータを内蔵し、その入出力装置として機能する制御パネル１６に入力された内容（点滴プログラム）に従って、切換弁１３と流量調整弁１４へ制御信号を出力する。このマイクロコンピュータには、メモリが設けられており、この点滴プログラムを記憶することができる。
【００１５】
図３は、本発明の実施形態による自動点滴制御装置１０の正面図である。ここで、特に、制御パネル１６の一例の外観が図示されている。この制御パネル１６には、入口１１ａ〜１１ｃの夫々に２個づつ、合計で６個のダイヤルスイッチ１７ａ〜１７ｃ、１８ａ〜１８ｃとリセットボタン１９及び入力ボタン２０が設けられている。リセットボタン１９は、切換弁１３を完全に閉じる。また、入力ボタン２０は、制御パネル１６に入力された点滴プログラムを有効とする。
【００１６】
上段のダイヤルスイッチ１７ａ〜１７ｃの各々は、対応する入口１１ａ〜１１ｃの１つを通して点滴液が流れ始める迄に経過すべき時間を設定する。その時間は、０〜２４時間の間で適宜セットできる。例えば、ダイヤルスイッチ１７ａで、２時間とセットしておけば、２時間後に切換弁１３が作動し、入口１１ａと出口１２を連通し、残りの２つの入口を閉じる。また、０時間後にセットすれば、その入口は直ちに出口１２と連通する。また、下段のダイヤルスイッチ１８ａ〜１８ｃを用いて、対応する入口から入る点滴液の流量をセットできる。
【００１７】
次に、具体例に則して、実際の運用を説明する。ここでは、毎日、朝に抗ガン剤を含んだ薬液を点滴し、昼に鉄分を含んだ薬液を点滴し、夕方に栄養剤を含んだ薬液を点滴する場合を想定する。
【００１８】
まず、朝、担当の看護婦は、自動点滴制御装置１０のリセットボタン１９を押して、切換弁１３を完全に閉じてから、点滴液１ａ〜１ｃの入った３つの点滴液筒２ａ〜２ｃを設定する。この例では、点滴液１ａとして抗ガン剤入りの点滴液、点滴液１ｂとして鉄分を含んだ点滴液、点滴液１ｂとして栄養剤を含んだ点滴液である。
【００１９】
そして、上段のダイヤルスイッチ１７ａ〜１７ｃを用いて、夫々の点滴液の点滴を開始する迄の時間を設定する。例えば、点滴液１ａは０時間後、点滴液１ｂは４時間後、点滴液１ｃは８時間後といった具合である。次に、下段のダイヤルスイッチ１８ａ〜１８ｃを用いて、点滴液１ａ、点滴液１ｂ、点滴液１ｃの夫々の流量を設定する。なお、上段のダイヤルスイッチ１７ａ〜１７ｃの設定と下段のダイヤルスイッチ１８ａ〜１８ｃの設定の順序は問わない。
【００２０】
夫々のダイヤルスイッチの設定を終えたら、入力ボタン２０を押して、設定を有効とする。そして、普通に、静脈針７を患者に穿刺し、点滴を開始する。
【００２１】
その後、抗ガン剤入りの点滴液の点滴が、例えば１〜２時間の間、行われる。点滴液が無くなると自動的に点滴は停止する。これは通常の場合と同じである。そして、入力ボタン２０を押してから４時間後、鉄分を含んだ点滴液の注入が開始する。さらに、その４時間、栄養剤を含んだ点滴液の注入が開始する。
【００２２】
次の朝、担当の看護婦は、自動点滴制御装置１０のリセットボタン１９を押して、点滴液１ａ〜１ｃの入った３つの点滴液筒２ａ〜２ｃを交換して、同様の手続きを行う。従って、毎朝、点滴の設定を纏めて行えば良く、効率的であり医療ミスの危険が少なくなると考えられる。
【００２３】
以上、本発明を実施形態により説明したが、当業者にとっては、本発明が本願中に説明した実施形態に限定されるものではなく、多くの変形例および実装例が、発明の上記の実施形態に対してなし得ることは明らかである。
【００２４】
例えば、上記実施形態では３種類の点滴液の切り換えを自動的に行っているが、自動点滴制御装置１０の入口の数を４つ以上とし、切換弁１３として入力を４ポート以上のものを用いることで、４種類以上の点滴液の切り換えを自動的に行うことも可能である。また、同じ種類の点滴液を複数の点滴液筒に入れ、時間をずらせて点滴を行うことも可能である。
【図面の簡単な説明】
【００２５】
【図１】本発明の実施形態による自動点滴制御装置を用いた点滴システムを示す概略図である。
【図２】本発明の実施形態による自動点滴制御装置の構成図である。
【図３】本発明の実施形態による自動点滴制御装置の正面図である
【図４】従来の点滴装置の一例を示す概略図である。
【符号の説明】
【００２６】
１ａ〜１ｃ 点滴液
２ａ〜２ｃ 点滴液筒
３ａ〜３ｃ 中間チューブ
４ａ〜４ｃ 点滴筒
５ａ〜５ｃ 導管チューブ
６ 導管チューブ
７ 静脈針
８ タコ管
１０ 自動点滴制御装置
１１ａ〜１１ｃ 入口
１２ 出口
１３ 切換弁
１４ 流量調整弁
１５ 制御回路
１６ 制御パネル
１７ａ〜１７ｃ、１８ａ〜１８ｃ ダイヤルスイッチ
１９ リセットボタン
２０ 入力ボタン
２１ 点滴液
２２ 点滴液筒
２３ 中間チューブ
２４ 点滴筒
２５ 導管チューブ
２６ ローラクランプ
２７ ゴム管
２８ 静脈針
２９ タコ管
【図１】
2006230445.tif 000003
【図２】
2006230445.tif 000004
【図３】
2006230445.tif 000005
【図４】
2006230445.tif 000006